(57)【要約】【課題】自立性のないシート状ＥＬ素子を所望の位置に容易に展示し、同時に表示のための給電も容易に行えるＥＬ発光装置を提供する。【解決手段】ヒンジ４で連結されて開閉可能とされた本体２と上部カバー３はばねで閉止方向に付勢されている。本体の上面の出力端子１２は、内部の電源及び駆動回路に接続されている。本体２と上部カバー３の隙間にシート状ＥＬ発光素子５の電極７の部分を挟んで閉じれば、シート状ＥＬ発光素子が保持され、出力端子と電極が接触導通する。着脱可能な固定手段により本体を所望位置に取り付け、電源スイッチ１０をＯＮとすれば、シート状ＥＬ発光素子を所望の位置に展示して発光表示させることができる。【選択図】図２
0003131658.tif 000002
【実用新案登録請求の範囲】
【請求項１】
所望の位置に着脱自在に取り付けることができ、電極を有するシート状ＥＬ発光素子を挿入するための隙間が間に設けられた第１基部材及び第２基部材と、
前記第１基部材と前記第２基部材の少なくとも一方に設けられた駆動回路と、
前記第１基部材と前記第２基部材の一方に設けられて前記駆動回路に接続され、前記隙間に挿入された前記シート状ＥＬ発光素子の前記電極に接触して該シート状ＥＬ発光素子を前記第１基部材と前記第２基部材の他方との間に保持する出力端子とを有し、
前記隙間に前記シート状ＥＬ発光素子を保持した前記第１基部材と前記第２基部材を所望の位置に取り付けることにより、前記シート状ＥＬ発光素子を前記位置に展示した状態で給電して発光させることを特徴とするＥＬ発光装置。
【請求項２】
前記第１基部材と前記第２基部材を開閉可能に連結するヒンジと、
前記第１基部材と前記第２基部材を閉止状態に保持して前記隙間に挟まれた前記シート状ＥＬ発光素子を保持する保持手段と、
前記第１基部材と前記第２基部材を開放した際に操作者が前記出力端子に触れた場合の感電を防止するべく前記駆動回路を遮断する感電防止機構と、
を有することを特徴とする請求項１記載のＥＬ発光装置。
【請求項３】
前記出力端子が、前記隙間に挿入された前記シート状ＥＬ発光素子の端縁に沿う前記第１基部材及び前記第２基部材の幅方向について移動可能とされたことを特徴とする請求項２記載のＥＬ発光装置。
【請求項４】
前記シート状ＥＬ発光素子が有する複数対の電極に対応して前記出力端子が複数対設けられたことを特徴とする請求項３記載のＥＬ発光装置。
【請求項５】
前記第１基部材と前記第２基部材の位置関係が固定されて前記隙間の幅及び高さが前記隙間に操作者の指が入らない所定寸法に定められており、
前記出力端子が前記隙間内において前記幅方向の所定位置で前記高さ方向に移動自在とされており、弾性部材の付勢力により前記隙間内で前記出力端子を保持方向に移動して前記シート状ＥＬ発光素子との接触及び保持を行うとともに、前記出力端子に連動連結された操作部を前記弾性部材の付勢力に抗して操作することにより前記隙間で前記出力端子を解除方向に移動して前記シート状ＥＬ発光素子との接触及び保持を解除するように構成されたことを特徴とする請求項１記載のＥＬ発光装置。
【考案の詳細な説明】
【技術分野】
【０００１】
本考案は、シート状のＥＬ発光素子を挟み込んで保持し、これを壁等の所望位置に取り付けることによって展示するとともに、挟み込んだ箇所で該ＥＬ発光素子に給電することにより発光表示を行わせることができるＥＬ発光装置に関するものである。
【背景技術】
【０００２】
エレクトロルミネッセンス発光素子（以下、ＥＬ発光素子と略称する。）は、下記特許文献１に示すように薄いシート状に構成できるので狭い場所にも設置でき、このため公告媒体その他の表示手段として有用と考えられている。
【０００３】
ところが、シート状ＥＬ素子は薄型であり、それ自体は自立性を有していないため、これを所定位置に展示して自立させ、給電して表示を行わせるための表示装置が必要になる。下記特許文献２は、このようにシート状ＥＬ素子を所望位置に設置して給電し、表示を行わせるための表示装置であって、シート状ＥＬ素子を透明シート等で挟み込んで適度な剛性をもったシート体とし、その下端をソケット状の支持ブラケットに差し込んで自立させるとともに、シート状ＥＬ素子に電気を供給して表示を行わせるものである。
【特許文献１】実開昭５８−１９３４９２号公報
【特許文献２】再表２００４−６４０２０号公報
【考案の開示】
【考案が解決しようとする課題】
【０００４】
しかしながら、前記特許文献２に記載の表示装置によれば、シート状ＥＬ素子に剛性を与えて自立させるために、シート状ＥＬ素子を透明シート等で挟み込むといった複雑な構造が必要であり、また設置面上に設置した支持ブラケットによって支持するため、支持ブラケットを設置するだけのスペースが必要になるという問題があった。
【０００５】
そこで本考案は、それ自体には自立性のないシート状ＥＬ素子を所望の位置に容易に展示することができるために設置位置の自由度が高く、同時に表示のための給電も容易に行うことができる構造の簡単なＥＬ発光装置を提供することを目的としている。
【課題を解決するための手段】
【０００６】
請求項１に記載されたＥＬ発光装置は、
所望の位置に着脱自在に取り付けることができ、電極を有するシート状ＥＬ発光素子を挿入するための隙間が間に設けられた第１基部材及び第２基部材と、
前記第１基部材と前記第２基部材の少なくとも一方に設けられた駆動回路と、
前記第１基部材と前記第２基部材の一方に設けられて前記駆動回路に接続され、前記隙間に挿入された前記シート状ＥＬ発光素子の前記電極に接触して該シート状ＥＬ発光素子を前記第１基部材と前記第２基部材の他方との間に保持する出力端子とを有し、
前記隙間に前記シート状ＥＬ発光素子を保持した前記第１基部材と前記第２基部材を所望の位置に取り付けることにより、前記シート状ＥＬ発光素子を前記位置に展示した状態で給電して発光させることを特徴としている。
【０００７】
請求項２に記載されたＥＬ発光装置は、請求項１記載のＥＬ発光装置において、
前記第１基部材と前記第２基部材を開閉可能に連結するヒンジと、
前記第１基部材と前記第２基部材を閉止状態に保持して前記隙間に挟まれた前記シート状ＥＬ発光素子を保持する保持手段と、
前記第１基部材と前記第２基部材を開放した際に操作者が前記出力端子に触れた場合の感電を防止するべく前記駆動回路を遮断する感電防止機構と、
を有することを特徴としている。
【０００８】
請求項３に記載されたＥＬ発光装置は、請求項２記載のＥＬ発光装置において、
前記出力端子が、前記隙間に挿入された前記シート状ＥＬ発光素子の端縁に沿う前記第１基部材及び前記第２基部材の幅方向について移動可能とされたことを特徴としている。
【０００９】
請求項４に記載されたＥＬ発光装置は、請求項３記載のＥＬ発光装置において、
前記シート状ＥＬ発光素子が有する複数対の電極に対応して前記出力端子が複数対設けられたことを特徴としている。
【００１０】
請求項５に記載されたＥＬ発光装置は、請求項１記載のＥＬ発光装置において、
前記第１基部材と前記第２基部材の位置関係が固定されて前記隙間の幅及び高さが前記隙間に操作者の指が入らない所定寸法に定められており、
前記出力端子が前記隙間内において前記幅方向の所定位置で前記高さ方向に移動自在とされており、弾性部材の付勢力により前記隙間内で前記出力端子を保持方向に移動して前記シート状ＥＬ発光素子との接触及び保持を行うとともに、前記出力端子に連動連結された操作部を前記弾性部材の付勢力に抗して操作することにより前記隙間で前記出力端子を解除方向に移動して前記シート状ＥＬ発光素子との接触及び保持を解除するように構成されたことを特徴としている。
【考案の効果】
【００１１】
請求項１に記載されたＥＬ発光装置によれば、第１基部材及び第２基部材の隙間にシート状ＥＬ発光素子を挿入し、シート状ＥＬ発光素子の電極に出力端子を接触させて押し付けることでシート状ＥＬ発光素子を保持するとともに、シート状ＥＬ発光素子を駆動回路に接続する。シート状ＥＬ発光素子を保持した状態にある第１基部材及び第２基部材を、例えば壁面等に取り付ければ、当該シート状ＥＬ発光素子を壁面に展示でき、駆動回路を機能させれば当該シート状ＥＬ発光素子を発光させて表示状態とすることができる。
【００１２】
請求項２に記載されたＥＬ発光装置によれば、ヒンジで連結された第１基部材と第２基部材を開放し、その隙間にシート状ＥＬ発光素子を挿入すれば、当該シート状ＥＬ発光素子は保持手段の働きにより閉止状態となった第１基部材と第２基部材の隙間に挟まれて確実に保持される。また、クリップ状の開閉構造とされた第１基部材と第２基部材によるシート状ＥＬ発光素子の保持操作は行いやすく使い勝手がよい。また、シート状ＥＬ発光素子を挟むために第１基部材と第２基部材を開放すると、出力端子が露出して操作者が触れやすくなるが、この開放時には感電防止機構が働いて駆動回路を遮断するので、仮に操作者が出力端子に触れても感電することはない。
【００１３】
請求項３に記載されたＥＬ発光装置によれば、出力端子が、隙間に挿入されたシート状ＥＬ発光素子の端縁に沿う方向（すなわち第１基部材及び第２基部材の長手方向である幅方向）について移動可能なので、シート状ＥＬ発光素子に設けられた電極の位置に応じて出力端子の位置を変更することができる。従って、電極位置の異なる多種のシート状ＥＬ発光素子の保持・表示を一つのＥＬ発光装置で行うことができる。
【００１４】
請求項４に記載されたＥＬ発光装置によれば、複数対の電極を有し、各電極の対ごとに別々に駆動される複数種類の表示部が設けられるために視覚効果の高い表示が可能なシート状ＥＬ発光素子の保持・表示を行うことができる。
【００１５】
請求項５に記載されたＥＬ発光装置によれば、第１基部材と第２基部材の位置関係が固定されており、両基部材の隙間の幅及び高さが前記隙間に操作者の指が入らない所定寸法に定められているので、操作者が操作中に出力端子に触れて感電する恐れがなく、安全である。操作部を弾性部材の付勢力に抗して操作することにより出力端子を解除方向に移動し、シート状ＥＬ発光素子を隙間に挿入してから操作部を離せば、出力端子は弾性部材により保持方向に移動してシート状ＥＬ発光素子を基部材との間に安定的に保持することができる。
【考案を実施するための最良の形態】
【００１６】
以下、本考案を実施するために実用新案登録出願人が出願時点で最良と思う本考案の実施の形態を図１〜図１４を参照して説明する。
【００１７】
１．第１実施形態（第１例、図１〜図５）
図１乃至図２に示すように、第１例のＥＬ発光装置１ａは、略直方体形の筐体である本体２（第１基部材）と上部カバー３（第２基部材）を揃えて重ね、両部材２，３の一方の長辺を互いに連結開閉手段としてのヒンジ４で連結して開閉可能としたクリップ構造を備えており、ヒンジ４には図示しないばね等の弾性手段からなる保持手段が設けられており、上部カバー３を本体２に対して閉止方向に付勢している。第１例のＥＬ発光装置１ａによれば、本体２と上部カバー３の隙間に挟んだシート状ＥＬ発光素子５を保持手段の力によって保持するとともに、これに給電して発光表示を行わせることができる。ここで、図２に示すように、前記シート状ＥＬ発光素子５は、目的に応じた発光パターン６が形成された可撓性を有する薄型のＥＬ発光素子であって、矩形の外形の一縁辺に一対の電極７，７が所定間隔で露出して形成されているものである。なお、実施形態の各図においては、必要に応じてシート状ＥＬ発光素子５の発光パターン６を斜線により明示するものとする。
【００１８】
図１に示すように、本体２の内部には、電源である電池８を着脱可能に収納する電池収納部９と、電源スイッチ１０を有し、前記電池８に接続されてシート状ＥＬ発光素子５を交流により発光駆動する駆動回路１１とが設けられている。また、前記上部カバー３と対面する前記本体２の上面には、前記駆動回路１１に接続された一対の出力端子１２，１２が所定間隔で配置されている。なお、実施形態の各図においては、必要に応じて出力端子１２を斜線により明示するものとする。図２に示すように、この一対の出力端子１２，１２の間隔は、本ＥＬ発光装置１ａで展示・発光させようとするシート状ＥＬ発光素子５に設けられた一対の電極７，７の間隔と同等に設定してあり、前記本体２と前記上部カバー３の間にシート状ＥＬ発光素子５を挟んだ際に、該シート状ＥＬ発光素子５の一対の電極７，７が前記一対の出力端子１２，１２に接触・接続されるようになっている。
【００１９】
上記の構成によれば、図２に示すように、保持手段の付勢力に抗して本体２と上部カバー３を開き（矢印Ａ）、本体２と上部カバー３の隙間内の所定位置にシート状ＥＬ発光素子５を挿入し（矢印Ｂ）、本体２と上部カバー３を閉じれば（矢印Ｃ）、保持手段の付勢力によりシート状ＥＬ発光素子５を確実に保持することができる。この状態において、本体２の出力端子１２と、図２において下側に露出しているシート状ＥＬ発光素子５の電極７は確実に接触するので、電源スイッチ１０をＯＮとすれば、前記駆動回路１１を介してシート状ＥＬ発光素子５に電池８の電力を安定的に供給して発光駆動させることができる。
【００２０】
第１例では、図示しない着脱機構（磁石、粘着層、吸盤、両面テープその他の着脱可能な固定手段）により、本体２を所望の位置に着脱自在に取り付けることができるように構成されているので、本体２を前記着脱機構で所望の位置に取り付ければ、シート状ＥＬ発光素子５を当該位置に展示して発光させることができる。例えば、図３に示すように、本体２を壁１３の任意の位置に取り付ければ、シート状ＥＬ発光素子５を壁１３の任意の位置に展示した状態で発光表示を行うことができる。
【００２１】
第１例のＥＬ発光装置１ａは、上部カバー３を開放して出力端子１２が外部に露出した際に、前記駆動回路１１を遮断する感電防止機構１４（インターロック機構）を有している。図４に、この感電防止機構１４の機能をスイッチの記号で模式的に示した。図４（ａ）に示すように、電源スイッチ１０がＯＮであっても、上部カバー３が開放されていると感電防止機構１４によって電源が遮断され、操作者が出力端子１２に触れた場合の感電を防止することができる。図４（ｂ）に示すように、電源スイッチ１０がＯＮであり、上部カバー３が閉じられていれば電源が接続され、図示しないシート状ＥＬ発光素子５に給電して発光させることができる。
【００２２】
第１例のＥＬ発光装置１ａは、共に略直方体形状の上部カバー３と本体２が長辺側においてヒンジ４で連結されて開閉可能となっていたが、図５に示す変形例のＥＬ発光装置１ｂのように短辺側においてヒンジ４で連結されて開閉可能としてもよい。また、出力端子１２は本体２に設けたが、上部カバー３の本体２と対面する面に設けても良い。さらに、第１例のＥＬ発光装置１ａのサイズ、形状、電極７の位置等は以上説明したものに限定されず、例えばボタン電池等を用いて全体を小型化してもよい。
【００２３】
以上説明した第１例のＥＬ発光装置１ａによれば、次のような効果が得られる。
（１）シート状ＥＬ発光素子５を挟むだけで簡単に発光させることができる。
（２）特に短期間で表示内容が変わる広告用のディスプレイ等、シート状ＥＬ発光素子５を繰り返し交換する場合の作業がだれにでも容易に行える。
（３）シート状ＥＬ発光素子５の側では、リード線、コネクタ等の配線、はんだ付け作業が不要となるので、配線や電極７に導電材料として安価なカーボン等をそのまま使用することができる。
（４）装置の構造が簡単であり、生産性が高い。
（５）シート状ＥＬ発光素子５を挟んだまま壁等に固定できる構造のため、シートが薄すぎて自立できないような場合でも、背面側に支持用の台紙等を設ける必要が無く、ディスプレイとしての設置自由度が高い。
（６）ＥＬ発光素子の駆動電圧は一般に数百ボルトという高い電圧であるが、シート状ＥＬ発光素子５の交換作業中に出力端子１２に誤って触れて感電することを未然に防止できる。
【００２４】
２．第２実施形態（第２例、図６〜図７）
第２例のＥＬ発光装置１ｃは、本体２の出力端子１２が移動できる点に特徴があるので当該部分を中心に説明する。その他の部分については第１例と同一であるので、第１例の説明を援用して省略する。
【００２５】
図６（ａ）に示すように、本体２の上面（図６には示さない上部カバー３に対面する面）には、その長手方向に沿ってスリット状の１本のガイド孔１６が形成されている。図６（ｂ）に示すように、本体２の上面に設けられた出力端子１２には、その下面に導電性の支持部材１７がそれぞれ取り付けられており、各支持部材１７は該ガイド孔１６を挿通しており、各出力端子１２が該ガイド孔１６の長手方向に沿って移動できるように構成されている。そして、各支持部材１７は、図示しない導電機構を介して駆動回路１１に接続されるとともに、図示しない連動機構を介して本体２の外面に設けられたレバー１８に連動連結されている。これらのレバー１８を本体２に設けた図示しない溝に沿って本体２の長手方向に沿って移動させれば、該レバー１８の移動に同期して支持部材１７及び出力端子１２を移動させることができ、出力端子１２を本体２の長手方向の任意の位置に設定することができる。
【００２６】
第２例によれば、一対の出力端子１２，１２を移動することができ、一対の出力端子１２，１２の位置ないし間隔を任意に設定することができるので、隙間に挿入しようとするシート状ＥＬ発光素子５の電極７の位置に応じて出力端子１２の位置を設定することができる。従って、電極７の位置が異なる多種のシート状ＥＬ発光素子５の保持・表示を一つのＥＬ発光装置１ｃで行うことができる。
【００２７】
例えば、図７（ａ）に示すように、シート状ＥＬ発光素子５の一対の電極７，７が、矩形のシートの一短辺の一隅部に近接して配置されている場合は、ＥＬ発光装置１ｃの一対のレバー８，８を操作して出力端子１２，１２の配置をシート状ＥＬ発光素子５の電極７，７に合せて設定すればよい。また、図７（ｂ）に示すように、シート状ＥＬ発光素子５の一対の電極７，７が、矩形のシートの一短辺の二隅部に間隔をおいて配置されている場合は、ＥＬ発光装置１ｃの一対のレバー１８，１８を操作して出力端子１２，１２の配置をこれに合せればよい。
【００２８】
また、レバー１８と出力端子１２の連動機構にロック機構を設け、出力端子１２を所望の位置に設定した後でロック機構を機能させれば、シート状ＥＬ発光素子５の装着時や駆動時等にシート状ＥＬ発光素子５が外れたり、接触不良になって発光が停止する等の不都合を未然に防止することができる。
【００２９】
以上説明した第２例のＥＬ発光装置１ｃによれば、次のような効果が得られる。
（１）単一のＥＬ発光装置１ｃによって、電極配置の異なる多様な種類のシート状ＥＬ発光素子の保持・給電を行うことができる。
（２）特に、多様な種類のシート状ＥＬ発光素子を自作し、交換して使用するような場合に、シート状ＥＬ発光素子の多様な電極パターンに対応可能なので、電極パターンの設計上の自由度が高い。
【００３０】
３．第３実施形態（第３例、図８〜図１０）
第３例のＥＬ発光装置１ｄは、複数対の電極７を有するシート状ＥＬ発光素子５の保持・給電を行うことができ、そのために複数対の出力端子１２を有しており、さらに各出力端子１２が移動できる点に特徴があるので、当該部分を中心に説明する。その他の部分については第２例と同一であるので、第２例の説明を援用して省略する。
【００３１】
図８に示すように、本体２の上面（図８には示さない上部カバー３に対面する面）には、その長手方向に沿ってスリット状の１本のガイド孔１６が形成されている。本体２の上面には、第１の出力端子１２ａ，１２ａの対と、第２の出力端子１２ｂ，１２ｂの対とが設けられている。各出力端子１２ａ，１２ｂはガイド孔１６に沿って移動可能であり、そのスライド構造とレバー１８との連動関係、及び駆動回路１１との接続構造は第２例で説明した通りである。
【００３２】
図９に示すように、第３例のＥＬ発光装置１ｃが保持・給電するシート状ＥＬ発光素子５ａは、複数の発光表示部６ａ，６ｂと、各発光表示部６ａ，６ｂごとに設けられた複数の電極７ａ，７ａ（対）及び７ｂ，７ｂ（対）とを有している。シート状ＥＬ発光素子５ａの複数対の電極７ａ，７ａ及び７ｂ，７ｂの配置に合せてＥＬ発光装置１ｄの出力端子１２ａ，１２ａ及び１２ｂ，１２ｂの各位置を設定した上で上部カバー３と本体２との間でシート状ＥＬ発光素子５ａを挟持すれば、シート状ＥＬ発光素子５ａの各電極７ａ，７ａ及び７ｂ，７ｂとＥＬ発光装置１ｄの各出力端子１２ａ，１２ａ及び１２ｂ，１２ｂを適正に接触させることができる。
【００３３】
図１０（ａ）に示すように、シート状ＥＬ発光素子５ａが２つの発光表示部６ａ，６ｂを有しており、２つの発光表示部６ａ，６ｂごとに電極７ａ，７ａ及び７ｂ，７ｂが矩形のシートの一短辺の二隅部にそれぞれ配置されている場合は、ＥＬ発光装置１ｄのレバー１８を操作して出力端子１２ａ，１２ａ及び１２ｂ，１２ｂの配置をシート状ＥＬ発光素子５ａの電極７ａ，７ａ及び７ｂ，７ｂに合せて調整、設定すればよい。
【００３４】
また、図１０（ｂ）示すシート状ＥＬ発光素子５ｂは、同図（ｃ）に示すように発光表示部６ａ，６ｂごとに櫛歯電極１９ａ，１９ｂが形成された構造例を示しており、この例に示すようにシート状ＥＬ発光素子５ｂの２つの発光表示部６ａ，６ｂの各電極７（対）が、矩形のシートの一短辺において互いに近接して配置されている場合は、ＥＬ発光装置１ａのレバーを操作して出力端子１２ａ，１２ａ及び１２ｂ，１２ｂの配置をシート状ＥＬ発光素子５の電極７ａ，７ａ及び７ｂ，７ｂに合せた位置に近接して調整、設定すればよい。
【００３５】
以上説明した第３例のＥＬ発光装置１ｄによれば、次のような効果が得られる。
（１）複数の発光表示部を備えるシート状ＥＬ発光素子に対応でき、複数の発光表示部の駆動を任意の態様で行うことができるので、表示素子としての視覚効果を向上させることができる。
（２）複数対の出力端子の各位置が移動可能とされているので、多様な種類のシート状ＥＬ発光素子の電極パターンに対応することができる。
【００３６】
４．第４実施形態（第４例、図１１〜図１４）
図１１乃至図１２に示すように、第４例のＥＬ発光装置１ｅは、隙間Ｓをおいて対面して配置された略長直方体の筐体である本体２０（第１基部材）及び上部カバー３０（第２基部材）と、これらの長辺側を連結する側面体３１とを有しており、全体として断面略コ字形に構成されている。そして、本体２０と上部カバー３０の前記隙間Ｓの寸法（幅及び高さ）は、シート状ＥＬ発光素子５を挿入しやすく、かつ安全を考慮して操作者の指が入らない程度に設定されている。
【００３７】
図１１に示すように、本体２０の内部には、電源である電池８を着脱可能に収納する電池収納部９と、電源スイッチ１０を有し、前記電池８に接続されてシート状ＥＬ発光素子５を交流により発光駆動する駆動回路１１とが設けられている。また、前記本体２０と対面する前記上部カバー３０の下面には、前記駆動回路１１に接続された一対の出力端子２２，２２が所定間隔で配置されている。この一対の出力端子２２，２２の間隔は、本ＥＬ発光装置１ｅで展示・発光させようとするシート状ＥＬ発光素子５に設けられた一対の電極７，７の間隔と同等に設定してあり、前記本体２０と前記上部カバー３０の間にシート状ＥＬ発光素子５を挟んだ際に、該シート状ＥＬ発光素子５の一対の電極７，７が前記一対の出力端子２２，２２に接触・接続されるようになっている。
【００３８】
図１３に示すように、前記出力端子２２は、前記隙間Ｓ内において前記高さ方向の所定範囲内で移動自在となるように設けられるとともに、前記上部カバー３０との間に設けられた弾性部材２３によって隙間Ｓ内に突出する方向に付勢されている。また、前記出力端子２２は、側面体３１の外面に設けられたレバー３２に図示しない連動機構を介して連動連結されており、レバー３２の操作によって隙間Ｓ内で上下方向に移動できるようになっている。
【００３９】
従って、図１３（ａ）に示すように、レバー３２に上向きの力を加えると、弾性部材２３の付勢力に抗して出力端子２２を隙間Ｓ内から上部カバー３内に入る方向へ移動させることができ、出力端子２２と本体２０との間にシート状ＥＬ発光素子５を挿入できるだけの間隔を生じさせることができる。また、図１３（ｂ）に示すように、レバー３２から指を離すと、連動関係にあるレバー３２及び出力端子２２は弾性部材２３の付勢力により下向きの力を受け、出力端子２２は上部カバー３０内から隙間Ｓ内に突出し、図１３（ａ）の状態で挿入したシート状ＥＬ発光素子５を本体２０との間に挟持・固定するとともに、シート状ＥＬ発光素子５の電極７と接触導通した状態となる。
【００４０】
上記の構成によれば、図１３（ａ）に示すように、弾性部材２３の付勢力に抗してレバー３２を上方に操作して出力端子２２を本体２０から離れる方向に移動させ、出力端子２２と本体２０の間の所定位置にシート状ＥＬ発光素子５を挿入する。そして、図１３（ｂ）に示すように、レバー３２から手を離せば、弾性部材２３の付勢力によりレバー３２及び出力端子２２は下方に移動し、出力端子２２はシート状ＥＬ発光素子５を確実に保持して、その電極７と接触導通することとなる。この状態において、電源スイッチ１０をＯＮとすれば、前記駆動回路１１を介してシート状ＥＬ発光素子５に電力を安定的に供給して発光駆動することができる。
【００４１】
第４例では、図示しない着脱機構（磁石、粘着層、吸盤、両面テープその他の着脱可能な固定手段）により、本体２０を所望の位置に着脱自在に取り付けることができるように構成されているので、本体２０を前記着脱機構で所望の位置に取り付ければ、シート状ＥＬ発光素子５を当該位置に展示して発光させることができる。例えば、第１例を示した図３と同様に、本体２０を壁の任意の位置に取り付ければ、シート状ＥＬ発光素子５を壁の任意の位置に展示した状態で発光表示を行うことができる。
【００４２】
第４例のＥＬ発光装置１ｅは、出力端子２２を上部カバー３０に設けてシート状ＥＬ発光素子５を本体２０との間に挟んだが、挟み込み方向は逆でもよく、すなわち出力端子２２を本体２０に設けてシート状ＥＬ発光素子５を上部カバー３０との間に挟んでもよい。また、第４例のＥＬ発光装置１ｅのサイズ、形状、電極位置等は以上説明したものに限定されず、例えばボタン電池等を用いて全体を小型化してもよい。さらに、出力端子２２はシート状ＥＬ発光素子５の保持手段と給電手段を兼ねていたが、出力端子２２は給電のみ行い、別途保持手段を設ける構成としてもよい。
【００４３】
以上説明した第４例のＥＬ発光装置１ｅによれば、第１例による効果に加え、さらに、出力端子２２が上下に移動可能な構造のため、同じシート状ＥＬ発光素子５を繰り返し着脱する場合に、シート状ＥＬ発光素子５のエッジが出力端子２２に突き当たって電極７の周辺を傷めることが防止される効果がある。
【００４４】
以上説明した第１例乃至第４例の各ＥＬ発光装置１ａ〜１ｅは、全体として概ね直方体形状であったが、その外形は以上説明したものに限定されず、例えば図１４に示すように、矩形のシート状ＥＬ発光素子５の角部を保持する略三角形状のＥＬ発光装置１ｆとすることもできる。
【図面の簡単な説明】
【００４５】
【図１】第１実施形態のＥＬ発光装置の内部構造の少なくとも一部を透視して示す正面図、平面図、及び右側面図である。
【図２】第１実施形態のＥＬ発光装置とシート状ＥＬ発光素子の斜視図である。
【図３】第１実施形態のＥＬ発光装置の使用状態を示す正面図及び側面図である。
【図４】第１実施形態のＥＬ発光装置に設けられた感電防止機構の機能を模式的に示す図である。
【図５】第１実施形態のＥＬ発光装置の変形例を示す斜視図である。
【図６】（ａ）は第２実施形態のＥＬ発光装置の本体を示す平面図、（ｂ）は出力端子及びその付近の拡大斜視図である。
【図７】（ａ）は第２実施形態のＥＬ発光装置において電極が端にあるシート状ＥＬ発光素子を取り付ける場合の出力端子の設定位置を示す本体の平面図、（ｂ）は第２実施形態のＥＬ発光装置において電極が両端にあるシート状ＥＬ発光素子を取り付ける場合の出力端子の設定位置を示す本体の平面図である。
【図８】第３実施形態のＥＬ発光装置の本体を示す平面図である。
【図９】第３実施形態のＥＬ発光装置とシート状ＥＬ発光素子の斜視図である。
【図１０】（ａ）は第３実施形態のＥＬ発光装置におけるシート状ＥＬ発光素子と、これを取り付ける場合の出力端子の設定位置を示す本体の平面図、（ｂ）は第２実施形態のＥＬ発光装置において櫛歯電極方式のシート状ＥＬ発光素子と、これを取り付ける場合の出力端子の設定位置を示す本体の平面図、（ｃ）は櫛歯電極方式のシート状ＥＬ発光素子の電極パターンを示す図である。
【図１１】第４実施形態のＥＬ発光装置の内部構造の少なくとも一部を透視して示す正面図、平面図、及び右側面図である。
【図１２】第４実施形態のＥＬ発光装置とシート状ＥＬ発光素子の斜視図である。
【図１３】第４実施形態のＥＬ発光装置におけるシート状ＥＬ発光素子の装着動作を示す一部を透視して表した側面図である。
【図１４】各実施形態における外形の変形例及び使用態様を示す正面図である。
【符号の説明】
【００４６】
１ａ，１ｂ，１ｃ，１ｄ，１ｅ，１ｆ…ＥＬ発光装置
２，２０…第１基部材としての本体
３，３０…第２基部材としての上部カバー
４…ヒンジ
５，５ａ，５ｂ…シート状ＥＬ発光素子
７，７ａ，７ｂ…電極
１１…駆動回路
１２，１２ａ，１２ｂ，２２…出力端子
１４…感電防止機構
【図１】
0003131658.tif 000003
【図２】
0003131658.tif 000004
【図３】
0003131658.tif 000005
【図４】
0003131658.tif 000006
【図５】
0003131658.tif 000007
【図６】
0003131658.tif 000008
【図７】
0003131658.tif 000009
【図８】
0003131658.tif 000010
【図９】
0003131658.tif 000011
【図１０】
0003131658.tif 000012
【図１１】
0003131658.tif 000013
【図１２】
0003131658.tif 000014
【図１３】
0003131658.tif 000015
【図１４】
0003131658.tif 000016